(57)【要約】【課題】多面鏡付のコンパクト容器において、多面鏡を閉じた状態で袖鏡の取り付けががたつくことを防止し、鏡面を保護する。【解決手段】化粧料を収容する容器本体２０、容器本体２０と蝶着している蓋体３０、及び多面鏡（三面鏡１０）を備えたコンパクト容器１Ａであって、多面鏡が、該多面鏡が閉じた状態で順次重なる中央鏡１１と袖鏡１４ａ、１４ｂからなる。蓋体３０の内側に中央鏡用枠体１２を有し、中央鏡用枠体１２の左右両端部又は片端部に袖鏡用枠体１５ａ、１５ｂが蝶着されている。多面鏡を閉じ、コンパクト容器１Ａを閉じた状態で、容器本体２０と対向する袖鏡用枠体１５ｂの該対向面に、容器本体２０に備えられた弾性体を押圧する突起１６ａが設けられている。【選択図】図２
2006325925.tif 000002
【特許請求の範囲】
【請求項１】
化粧料を収容する容器本体、容器本体と蝶着している蓋体、及び多面鏡を備えたコンパクト容器であって、
多面鏡が、該多面鏡が閉じた状態で重なる中央鏡と少なくとも一つの袖鏡からなり、
中央鏡及び袖鏡が、それぞれ枠体に取り付けられ、
蓋体の内側に中央鏡用枠体を有し、
中央鏡用枠体の左右両端部又は片端部に袖鏡用枠体が蝶番部材によって取り付けられ、
多面鏡を閉じ、コンパクト容器を閉じた状態で、容器本体と対向する袖鏡用枠体の該対向面に、容器本体に備えられた弾性体を押圧するように凸部が設けられているコンパクト容器。
【請求項２】
前記凸部が、その凸部が設けられている袖鏡用枠体の蝶番部材と反対側の縁部に形成された突起からなる請求項１記載のコンパクト容器。
【請求項３】
前記凸部が、その凸部が設けられている袖鏡用枠体の背面に形成された段状の凸部からなる請求項１記載のコンパクト容器。
【請求項４】
弾性体が、容器本体に収容された塗布用具である請求項１〜３のいずれかに記載のコンパクト容器。
【発明の詳細な説明】
【技術分野】
【０００１】
本発明は、ファンデーション、チーク、アイシャドウ等の化粧料を収容するコンパクトな鏡付容器に関する。
【背景技術】
【０００２】
ファンデーション、チーク、アイシャドウ等の化粧料を収容するコンパクト容器として、化粧料を収容する容器本体と、容器本体に開閉自在に蝶着された蓋体からなり、蓋体の内側に平面鏡を貼着したものが普及している。また、このようなコンパクト容器であって、中央鏡と袖鏡からなる三面鏡を蓋体の内側に取り付けたものが提案されている（特許文献１、特許文献２）。
【０００３】
【特許文献１】特開２０００−１７５７３８号公報
【特許文献２】登録実用新案第３０２０８９９号公報
【発明の開示】
【発明が解決しようとする課題】
【０００４】
コンパクト容器に取り付けられる三面鏡では、携帯性を確保するため、できるだけコンパクトになるよう、三面鏡が閉じた状態で、中央鏡とその上に順次重なる第１袖鏡と第２袖鏡とが隙間なく折りたたまれるようにすることが望ましい。
【０００５】
しかしながら、三面鏡付のコンパクト容器は、その重量が三面鏡のない従前のコンパクト容器に比して重くなるため、三面鏡が隙間無く折りたたまれるようにすると持ち運び時の揺れや、誤って落下させた場合の衝撃により、袖鏡の取り付けががたつき、鏡が破損する場合がある。
【０００６】
これに対して、本発明は中央鏡と一つ以上の袖鏡を備えた多面鏡付のコンパクト容器において、多面鏡を閉じた状態で袖鏡の取り付けががたつくことを防止し、鏡面を保護することを目的とする。
【課題を解決するための手段】
【０００７】
本発明者は、多面鏡付のコンパクト容器において、多面鏡が閉じた状態で中央鏡とその上に重なる少なくとも一つの袖鏡からなる場合に、多面鏡を閉じ、コンパクト容器を閉じた状態で容器本体と対向する枠体の該対向面に凸部を設け、その凸部で、容器本体に収容されているスポンジ等の弾性体が押圧されるようにすると袖鏡のがたつきを効果的に抑制できることを見出した。
【０００８】
即ち、本発明は、化粧料を収容する容器本体、容器本体と蝶着している蓋体、及び多面鏡を備えたコンパクト容器であって、
多面鏡が、該多面鏡が閉じた状態で重なる中央鏡と少なくとも一つの袖鏡からなり、
中央鏡及び袖鏡が、それぞれ枠体に取り付けられ、
蓋体の内側に中央鏡用枠体を有し、
中央鏡用枠体の左右両端部又は片端部に袖鏡用枠体が蝶番部材によって取り付けられ、
多面鏡を閉じ、コンパクト容器を閉じた状態で、容器本体と対向する袖鏡用枠体の該対向面に、容器本体に備えられた弾性体を押圧するように凸部が設けられているコンパクト容器を提供する。
【発明の効果】
【０００９】
本発明のコンパクト容器によれば、多面鏡を閉じてコンパクト容器を閉じた状態で容器本体と対向する枠体の該対向面に凸部が設けられており、この凸部は、コンパクト容器が閉じている状態で、容器本体に備えられている弾性体を押圧する。したがって、この弾性体の抗力により、コンパクト容器の持ち運び時の揺れや、誤って落下させた場合の衝撃に対して、袖鏡のがたつきを防止し或いは低減することで、鏡を保護することが可能となる。
【００１０】
さらに、この弾性体として、コンパクト容器に一般に備えられるスポンジ、パフ等の弾性体を利用することができるので、がたつき防止のために別途弾性体を設けることが不要であり、低コストにがたつきを防止することができる。
【発明を実施するための最良の形態】
【００１１】
以下、図面を参照しつつ、本発明を詳細に説明する。なお、各図中、同一符号は同一又は同等の構成要素を表している。
【００１２】
図１Ａは、多面鏡として三面鏡を備えた本発明の一実施例のコンパクト容器１Ａであって、三面鏡１０を開いた状態の斜視図であり、図１ＢはそのＸ−Ｘ断面図である。
【００１３】
このコンパクト容器１Ａは、三面鏡１０、ファンデーション、チーク、アイシャドウ等の化粧料Ａを収容する容器本体２０、及び容器本体２０の開口面を開閉自在に覆う蓋体３０からなり、三面鏡１０は中央鏡１１と左右一対の第１袖鏡１４ａと第２袖鏡１４ｂからなる。
【００１４】
容器本体２０には、化粧料Ａとスポンジ２１が収容されている。容器本体２０には、この他必要に応じて、はけ、ブラシ等の化粧用具が収容されるようにしてもよい（図示せず）。
【００１５】
蓋体３０は、蓋外側部材３１に中央鏡用枠体１２を接合したものからなり、この中央鏡用枠体１２に中央鏡１１が接着剤、粘着剤等により貼着されている。蓋体３０は、中央鏡１１の下端側で容器本体２０と蝶着している。
【００１６】
一対の袖鏡１４ａ、１４ｂは、袖鏡用枠体１５ａ、１５ｂに接着剤、粘着剤等により貼着され、袖鏡用枠体１５ａ、１５ｂが、中央鏡用枠体１２の両端部の蝶番部材１８ａ、１８ｂに、袖鏡用枠体の蝶番部材１９ａ、１９ｂをピンで掛合することにより蝶着されている。
【００１７】
図２は、図１Ａのコンパクト容器１Ａにおいて、中央鏡１１、第１袖鏡１４ａ、第２袖鏡１４ｂを順次重ね合わせて三面鏡１０を閉じ、蓋体３０を閉じた状態のＸ−Ｘ方向の断面図である。このようにこのコンパクト容器１Ａでは、三面鏡１０の中央鏡１１と第１袖鏡１４ａと第２袖鏡１４ｂとがちょうど重なり合うように、それらの枠体１２、１４ａ、１４ｂが蝶着されている。したがって、コンパクト容器１Ａ内において、三面鏡１０の鏡面の面積をできる限り広く確保することが可能となる。
【００１８】
第２袖鏡用枠体１５ｂの背面（即ち、第２袖鏡１４ｂの形成面と反対側の面で、コンパクト容器１Ａを閉じた場合に、容器本体２０に対向することとなる面）の縁部には、その一部を背面側に反らすように突出させた突起１６ａが設けられている。この突起１６ａは、三面鏡１０を閉じることで、図２に示すように、容器本体２０に収容されたスポンジ２１を押圧する位置に設けてある。突起１６ａがスポンジを押圧することで、コンパクト容器１Ａの持ち運び時の揺れや、誤って落下させた場合の衝撃等により袖鏡１５ａ、１５ｂががたつくのを防止あるいは低減することができる。特に、このコンパクト容器１Ａにおいては、図示したように、第２袖鏡用枠体１５ｂの背面の突起１６ａが、第２袖鏡用蝶番部材１９ｂと反対側の縁部に位置しているので、袖鏡１５ａ、１５ｂのがたつきを効果的に防止することができる。
【００１９】
突起１６ａの第２袖鏡用枠体１５ｂの背面中央部からの高さＬ１は、容器本体２０の深さ、スポンジ２１の厚さ、コンパクト容器１Ａを閉じた状態での容器本体２０に対する第２袖鏡の取り付け位置等にもよるが、低すぎると突起１６ａでスポンジ２１を押圧することができず、高すぎるとコンパクト容器１Ａが閉じにくくなり、デザイン性も劣るので、ファンデーションのコンパクト容器とする場合、通常０．１〜２．０ｍｍとすることが好ましい。
【００２０】
なお、本発明において、コンパクト容器１Ａが閉じている状態において、第２袖鏡用枠体１５ｂの背面の突起１６ａが押圧する対象は、スポンジ２１に限らず、例えば、パフ、海綿等種々の弾性材料から形成された塗布具でもよい。
【００２１】
このコンパクト容器１Ａには、第２袖鏡用枠体１５ｂの縁部の突起１６ａに代えて第２袖鏡用枠体１５ｂの背面に、容器本体２０に備えられたスポンジ２１等の弾性体を押圧する種々の凸部を設けてもよい。
【００２２】
図３のコンパクト容器１Ｂは、第２袖鏡用枠体１５ｂの背面の凸部として、第２袖鏡用枠体１５ｂの蝶着部材１９ｂと反対側略半分に段状の凸部１６ｂを設けた態様の斜視図であり、図４はそのコンパクト容器１Ｂを閉じた状態の断面図である。このコンパクト容器１Ｂでは、袖鏡用枠体１５ｂの背面内の広い面積でスポンジ２１等の弾性体を押さえることとなる。
【００２３】
図５はさらに異なる態様のコンパクト容器１Ｃの斜視図であり、図６はそのコンパクト容器１Ｃを閉じた状態の断面図である。このコンパクト容器１Ｃは、第２袖鏡用枠体１５ｂの背面の凸部として、第２袖鏡用枠体１５ｂと別パーツの突起部材１６ｃを貼着することにより形成したものである。貼着する突起部材１６ｃの大きさや形状は、デザイン性なども考慮して種々のものを使用することができる。
【００２４】
以上、多面鏡として、中央鏡の左右両側に一対の袖鏡を有する三面鏡を備えたものを例として本発明のコンパクト容器を説明したが、本発明はこれに限らず、中央鏡の片側に袖鏡を有する２面鏡を備えたものなど、本発明において多面鏡を構成する鏡の数に制限はない。
【００２５】
また、本発明のコンパクト容器には、コンパクト容器を閉じた状態での袖鏡のがたつきをより確実に防止するため、コンパクト容器を閉じた状態で中央鏡用枠体と重なり合う袖鏡用枠体の周縁部、又は相互に重なり合う袖鏡用枠体の周縁部に、リブ又はスポット状の突起等の突出部を設け、コンパクト容器を閉じた場合にこの突出部が対向する枠体に当接するようにしてもよい。
【００２６】
例えば、図１Ａ、図１Ｂに示したコンパクト容器１Ａは、袖鏡用枠体１５ａ、１５ｂの鏡側の面であって蝶番部材１９ａ、１９ｂと反対側の縁部にリブ１７ａ、１７ｂを有している。図２に示すように、このリブ１７ａ、１７ｂは、コンパクト容器１Ａを閉じた状態で対向する枠体に当接する。これにより、コンパクト容器１Ａを閉じた状態での袖鏡１４ａ、１４ｂのがたつきなどをより確実に防止あるいは低減することができる。
【産業上の利用可能性】
【００２７】
本発明のコンパクト容器は、ファンデーション、チーク、アイシャドウ等の化粧料を収容する容器として有用である。
【図面の簡単な説明】
【００２８】
【図１Ａ】本発明のコンパクト容器において、三面鏡を開いた状態の斜視図である。
【図１Ｂ】図１Ａのコンパクト容器のＸ−Ｘ断面図である。
【図２】図１Ａのコンパクト容器を閉じた状態の断面図である。
【図３】本発明のコンパクト容器の異なる態様において、三面鏡を開いた状態の斜視図である。
【図４】図３のコンパクト容器を閉じた状態の断面図である。
【図５】本発明のコンパクト容器の異なる態様において、三面鏡を開いた状態の斜視図である。
【図６】図５のコンパクト容器を閉じた状態の断面図である。
【符号の説明】
【００２９】
１Ａ、１Ｂ、１Ｃ    コンパクト容器
１０    三面鏡
１１    中央鏡
１２    中央鏡用枠体
１４ａ、１４ｂ    袖鏡
１５ａ、１５ｂ    袖鏡用枠体
１６ａ    突起
１６ｂ    段状の凸部
１６ｃ    突起部材
１７ａ、１７ｂ    リブ
１８ａ、１８ｂ    蝶番部材
１９ａ、１９ｂ    蝶番部材
２０    容器本体
２１    スポンジ
３０    蓋体
３１    蓋外側部材
Ａ    化粧料
【図１Ａ】
2006325925.tif 000003
【図１Ｂ】
2006325925.tif 000004
【図２】
2006325925.tif 000005
【図３】
2006325925.tif 000006
【図４】
2006325925.tif 000007
【図５】
2006325925.tif 000008
【図６】
2006325925.tif 000009